(57)【要約】【課題】調光素子が正常に動作しなかった場合に、レーザパワーの検出がずれてしまうことによりレーザパワー制御が誤動作し、過剰な駆動電流でレーザ素子や光ディスクに記録されたデータを破壊してしまうことがある。【解決手段】調光素子の動作前後におけるレーザパワー検出用の光検出器の出力を相互に比較し、微分効率の変化の差等から、調光素子が正常に動作したかを判断し、異常と判断すればレーザの発光を停止する。【選択図】図１
2009134776.tif 000002
【特許請求の範囲】
【請求項１】
光ビームを出射するレーザ素子と、レーザ素子に電流を供給するレーザ駆動手段と、光ビームの光量を検出する光量検出手段と、前記光量検出手段の出力に基づき出射光量が一定となるようにレーザ駆動手段を動作させパワー制御を行うパワー制御手段とを備え、
光ビームの透過率を変化させる調光素子と、前記調光素子を駆動し光ビームの出射光量を変化させる調光素子駆動手段と、前記調光素子駆動手段に対して前記調光素子の透過率変更を指示する透過率変更手段を備えた光ディスク装置であって、
さらに前記透過率変更手段の設定に対し、前記調光素子が正常に動作したかを判定し、前記レーザ素子に供給する電流を制御する、調光素子動作監視手段を備えたことを特徴とする光ディスク装置。
【請求項２】
前記調光素子動作監視手段は前記調光素子駆動手段により調光素子を駆動する前後の前記光量検出手段の出力を測定する光量測定手段と、前記光量測定手段の測定結果から、調光素子の状態を判定する調光素子判定手段とを備えたことを特徴とする請求項１記載の光ディスク装置。
【請求項３】
前記調光素子動作監視手段は、前記レーザ駆動手段の出力を変化させたときの光検出手段の出力から駆動効率を出力する駆動効率検出手段と、前記調光素子駆動手段により調光素子を駆動する前後の前記駆動効率検出手段の出力を測定する駆動効率測定手段と、前記駆動効率測定手段の測定結果から、調光素子の状態を判定する調光素子判定手段とを備えたことを特徴とする請求項１記載の光ディスク装置。
【請求項４】
前記調光素子動作監視手段は、調光素子を駆動し光ビームの出射光量を変化させる調光素子駆動手段と、前記調光素子駆動手段により調光素子を駆動する前後の前記レーザ駆動手段の出力を測定する駆動測定手段と、前記駆動測定手段の測定結果から、調光素子の状態を判定する調光素子判定手段とを備えたことを特徴とする請求項１記載の光ディスク装置。
【請求項５】
前記調光素子動作監視手段は、前記光量検出手段の出力に基づいて、前記調光素子駆動手段を動作させて調光素子の透過率を変化させる透過率調整手段とを備えたことを特徴とする請求項１記載の光ディスク装置。
【請求項６】
前記調光素子動作監視手段は、前記レーザ駆動手段の出力を変化させたときの前記光量検出手段の出力から駆動効率を出力する駆動効率検出手段と、前記駆動効率検出手段の出力に基づいて、前記調光素子駆動手段を動作させて調光素子の透過率を変化させる透過率調整手段とを備えたことを特徴とする請求項１記載の光ディスク装置。
【請求項７】
前記調光素子動作監視手段が動作しているときは、パワー制御手段の動作を止めて前記レーザ駆動手段の出力電流を一定に保持することを特徴とする請求項１記載の光ディスク装置。
【請求項８】
前記調光素子動作監視手段が動作しているときは、パワー制御手段の制御目標値を変化させて前記レーザ駆動手段の出力を変化させることを特徴とする請求項１記載の光ディスク装置。
【請求項９】
前記調光素子動作監視手段は、判定結果に基づいて、レーザ駆動手段の出力を制限することを特徴とする請求項１記載の光ディスク装置。
【請求項１０】
さらに光ディスクの記録動作を禁止することを特徴とする請求項９記載の光ディスク装置。
【請求項１１】
前記調光素子動作監視手段は、判定結果に基づいて、調光素子駆動手段を再度動作させることを特徴とする請求項１記載の光ディスク装置。
【請求項１２】
さらに、再度動作させるときの調光素子駆動手段の出力を増加することを特徴とする請求項１１記載の光ディスク装置。
【請求項１３】
光量検出手段は光ディスクに照射した光ビームの反射光を検出することを特徴とする請求項１１記載の光ディスク装置。
【請求項１４】
パワー制御手段は光ビームの出射光量を光ディスクの再生時よりも低い出射光量に制御することを特徴とする請求項１３記載の光ディスク装置。
【請求項１５】
駆動効率検出手段は少なくとも２つ以上のレーザ駆動手段の出力で光検出手段の出力を測定し、線形近似計算により駆動効率を決定することを特徴とする請求項３記載の光ディスク装置。
【請求項１６】
調光素子の特性が変化したことを検出し、透過率調整手段を再度動作させる特性変化検出手段を、さらに備えたことを特徴とする請求項１１記載の光ディスク装置。
【請求項１７】
透過率を変更したときの光ビームの光量の測定値を保持するメモリを備えたことを特徴とする請求項１記載の光ディスク装置。
【請求項１８】
レーザ素子から光ビームを調光素子に出射して、調光素子の透過率を変化させて出射光量を変化させ、光量検出器で光ビームの光量を検出する光学ヘッドを制御する光ディスク用制御装置であり、
レーザ素子を駆動するレーザ駆動手段と、調光素子を駆動し光ビームの出射光量を変化させる調光素子駆動手段と、
さらに前記透過率の変化から、前記調光素子が正常に動作したかを判定し、前記レーザ素子に供給する電流を制御する、調光素子動作監視手段を備えたことを特徴とする光ディスク用制御装置。
【請求項１９】
前記調光素子動作監視手段は前記調光素子駆動手段により調光素子を駆動する前後の前記光量検出手段の出力を測定する光量測定手段と、前記光量測定手段の測定結果から、調光素子の状態を判定する調光素子判定手段とを備えたことを特徴とする請求項１８記載の光ディスク用制御装置。
【請求項２０】
前記調光素子動作監視手段は、前記レーザ駆動手段の出力を変化させたときの光検出手段の出力から駆動効率を出力する駆動効率検出手段と、前記調光素子駆動手段により調光素子を駆動する前後の前記駆動効率検出手段の出力を測定する駆動効率測定手段と、前記駆動効率測定手段の測定結果から、調光素子の状態を判定する調光素子判定手段とを備えたことを特徴とする請求項１８記載の光ディスク用制御装置。
【請求項２１】
前記調光素子動作監視手段は、調光素子を駆動し光ビームの出射光量を変化させる調光素子駆動手段と、前記調光素子駆動手段により調光素子を駆動する前後の前記レーザ駆動手段の出力を測定する駆動測定手段と、前記駆動測定手段の測定結果から、調光素子の状態を判定する調光素子判定手段とを備えたことを特徴とする請求項１８記載の光ディスク用制御装置。
【請求項２２】
前記調光素子動作監視手段は、前記光量検出手段の出力に基づいて、前記調光素子駆動手段を動作させて調光素子の透過率を変化させる透過率調整手段とを備えたことを特徴とする請求項１８記載の光ディスク用制御装置。
【請求項２３】
前記調光素子動作監視手段は、前記レーザ駆動手段の出力を変化させたときの前記光量検出手段の出力から駆動効率を出力する駆動効率検出手段と、前記駆動効率検出手段の出力に基づいて、前記調光素子駆動手段を動作させて調光素子の透過率を変化させる透過率調整手段とを備えたことを特徴とする請求項１８記載の光ディスク用制御装置。
【発明の詳細な説明】
【技術分野】
【０００１】
本発明は、情報を記録できる円盤状の情報担体（以下光ディスクと呼ぶ）に記録および再生を行う際に、調光素子を搭載した光ヘッドを用いて光ビームを収束照射する制御を安定して行う光ディスク装置に関するものである。
【背景技術】
【０００２】
近年、情報の大容量化に伴い更なる高密度な光情報記録媒体が要望されている。ここで、４０５ｎｍの青色レーザを使用してＮＡが０．８５の収束レンズを使用するとＤＶＤの約５倍の記録容量となるＢｌｕ−ｒａｙ  Ｄｉｓｃ（以下、ＢＤ）が開発されている。また、近年の青色レーザの高出力化によりさらに２倍の記録密度を得るため、１層の記録再生層を有するいわゆる１層ディスクに加え、記録再生層を複数有する多層ディスクの開発されている。たとえば、記録層を２層有するＢＤではＤＶＤの約１０倍の記憶容量になる。しかしながら、上記した青色レーザを用いた高密度の光情報記録媒体を記録再生する光ディスク装置では再生マージンが非常に厳しいため、光源の量子雑音が問題となる。
【０００３】
この問題を解決するために、例えば特許文献１のように光情報記録媒体の盤面パワーを低く抑えて光情報記録媒体の劣化やデータの消去などが起きるのを防止しつつ、半導体レーザの量子雑音を低く抑えて低雑音で良質の再生を行うことができる光学ヘッドが提案されている。また、例えば特許文献２のように透過率を切り替える時間を考慮し、光情報記録媒体の再生パワーに応じて透過率を切り替える光ディスク装置が提案されている。
【０００４】
その特許文献１の従来の技術について図７を参照して説明する。
【０００５】
光ディスク１を再生または記録するために、光ヘッド１０に内蔵のレーザ素子１１から出力されるレーザ光は、光ヘッド１０に内蔵の調光素子１６により光量を減衰させ、光ヘッド１０に内蔵のカップリングレンズ１２によって平行光にされる。この平行光は光ヘッド１０に内蔵の偏光反射板１３で反射し、光ヘッド１０に内蔵の対物レンズ１４により光ディスク１の情報記録膜２に収束照射される。また、偏光反射板１３はレーザ光の一部を透過させ、光ヘッド１０に内蔵の光検出器１５により出射光量を検出する。
【０００６】
出射光量に相当する光検出器１５の出力は、デジタルシグナルプロセッサー（Ｄｉｇｉｔａｌ  Ｓｉｇｎａｌ  Ｐｒｏｃｅｓｓｏｒ、以下ＤＳＰ）であるＤＳＰ２０に内蔵のＡＤ変換器２１によりＡＤ変換され、ＤＳＰ２０に内蔵のレーザパワー制御部２４は出射光量が所定のレベルになるようにレーザ駆動値をＤＳＰ２０に内蔵のＤＡ変換器２２に出力し、ＤＡ変換器２２はレーザ駆動値をＤＡ変換してレーザ駆動信号を出力する。ＤＡ変換器２２より出力されたレーザ駆動信号は、レーザ駆動回路５０を動作させてレーザ素子１１に駆動電流を流し、レーザ素子１１を所定の出射光量になるように発光させる。
【０００７】
ＤＳＰ内蔵の透過率切替部２５は、レーザ制御部が制御する出射光量に応じて調光素子１６の透過率を切り替えるための調光駆動値をＤＳＰ内蔵のＤＡ変換器２３に出力し、ＤＡ変換器２３は調光駆動値をＤＡ変換して調光駆動信号を出力する。ＤＡ変換器２３より出力された調光駆動信号は、調光素子駆動回路５１を動作させて調光素子１６に駆動電流を流し、調光素子１６の透過率を変化させて切り替える。この透過率切替部２５は調光素子１６の透過率を、再生の出射光量のときは量子雑音が低くなるように透過率を下げるように、記録の出射光量のときは透過率を上げるように切り替える。
【０００８】
この従来の技術による光ディスク装置によれば、再生時には、レーザ素子１１の出力パワーを増加するとともに調光素子１６により光量を減衰させるので、同じ出射パワーでも量子雑音を十分に低く保った状態にすることができる。また、記録時には、調光素子１６により光量を減衰させずにレーザ素子１１の最大出力パワーの範囲内で、記録品質を保つのに十分な出射パワーで記録することができる。
【特許文献１】特開２０００−１９５０８６号公報
【特許文献２】特開２００４−２７２９４９号公報
【発明の開示】
【発明が解決しようとする課題】
【０００９】
しかしながら、調光素子１６をレーザの光路上に出し入れして透過率を変化させるような構成のヘッドでは、外力による振動の影響などにより調光素子１６が正常に動作しない場合がある。また、液晶などで透過率を変化させるような構成のヘッドでは、液晶の特性変化や素子のばらつきなどにより所望の透過率に変化しない場合がある。このように調光素子１６の透過率の変化による光量の調節が正常に行われない場合に、再生時には、調光素子１６による光量の減衰が不十分で、量子雑音の影響を受け再生品質が悪化するという課題があった。また、記録時には、調光素子１６により光量を減衰したままで記録品質を保つのに十分な出射パワーを出力するようにレーザパワー制御部２４が動作するために、レーザ素子１１の最大出力パワーを超えて発光し、レーザ素子１１を劣化させてしまうという課題があった。
【００１０】
本発明は上述した課題を解決するためになされたものであり、調光素子を搭載した光ヘッドを用いて光ビームを収束照射する制御を安定して行う光ディスク装置を提供することを目的とする。
【課題を解決するための手段】
【００１１】
本発明の請求項１に係る光ディスク装置では、光ビームを出射するレーザ素子と、レーザ素子に電流を供給するレーザ駆動手段と、光ビームの光量を検出する光量検出手段と、前記光量検出手段の出力に基づき出射光量が一定となるようにレーザ駆動手段を動作させパワー制御を行うパワー制御手段とを備え、光ビームの透過率を変化させる調光素子と、前記調光素子を駆動し光ビームの出射光量を変化させる調光素子駆動手段と、前記調光素子駆動手段に対して前記調光素子の透過率変更を指示する透過率変更手段を備えた光ディスク装置であって、さらに前記透過率変更手段の設定に対し、前記調光素子が正常に動作したかを判定し、前記レーザ素子に供給する電流を制御する、調光素子動作監視手段を備えたことを特徴とする。
【００１２】
本発明の請求項２に係る光ディスク装置では、請求項１の構成要件に加え、前記調光素子動作監視手段は前記調光素子駆動手段により調光素子を駆動する前後の前記光量検出手段の出力を測定する光量測定手段と、前記光量測定手段の測定結果から、調光素子の状態を判定する調光素子判定手段とを備えたことを特徴とする。
【００１３】
本発明の請求項３に係る光ディスク装置では、請求項１の構成要件に加え、前記調光素子動作監視手段は、前記レーザ駆動手段の出力を変化させたときの光検出手段の出力から駆動効率を出力する駆動効率検出手段と、前記調光素子駆動手段により調光素子を駆動する前後の前記駆動効率検出手段の出力を測定する駆動効率測定手段と、前記駆動効率測定手段の測定結果から、調光素子の状態を判定する調光素子判定手段とを備えたことを特徴とする。
【００１４】
本発明の請求項４に係る光ディスク装置では、請求項１の構成要件に加え、前記調光素子動作監視手段は、調光素子を駆動し光ビームの出射光量を変化させる調光素子駆動手段と、前記調光素子駆動手段により調光素子を駆動する前後の前記レーザ駆動手段の出力を測定する駆動測定手段と、前記駆動測定手段の測定結果から、調光素子の状態を判定する調光素子判定手段とを備えたことを特徴とする。
【００１５】
本発明の請求項５に係る光ディスク装置では、請求項１の構成要件に加え、前記調光素子動作監視手段は、前記光量検出手段の出力に基づいて、前記調光素子駆動手段を動作させて調光素子の透過率を変化させる透過率調整手段とを備えたことを特徴とする。
【００１６】
本発明の請求項６に係る光ディスク装置では、請求項１の構成要件に加え、前記調光素子動作監視手段は、前記レーザ駆動手段の出力を変化させたときの前記光量検出手段の出力から駆動効率を出力する駆動効率検出手段と、前記駆動効率検出手段の出力に基づいて、前記調光素子駆動手段を動作させて調光素子の透過率を変化させる透過率調整手段とを備えたことを特徴とする。
【００１７】
本発明の請求項７に係る光ディスク装置では、請求項１の構成要件に加え、前記調光素子動作監視手段が動作しているときは、パワー制御手段の動作を止めて前記レーザ駆動手段の出力電流を一定に保持することを特徴とする。
【００１８】
本発明の請求項８に係る光ディスク装置では、請求項１の構成要件に加え、前記調光素子動作監視手段が動作しているときは、パワー制御手段の制御目標値を変化させて前記レーザ駆動手段の出力を変化させることを特徴とする。
【００１９】
本発明の請求項９に係る光ディスク装置では、請求項１の構成要件に加え、前記調光素子動作監視手段は、判定結果に基づいて、レーザ駆動手段の出力を制限することを特徴とする。
【００２０】
本発明の請求項１０に係る光ディスク装置では、請求項９の構成要件に加え、さらに光ディスクの記録動作を禁止することを特徴とする。
【００２１】
本発明の請求項１１に係る光ディスク装置では、請求項１の構成要件に加え、前記調光素子動作監視手段は、判定結果に基づいて、調光素子駆動手段を再度動作させることを特徴とする。
【００２２】
本発明の請求項１２に係る光ディスク装置では、請求項１１の構成要件に加え、さらに、再度動作させるときの調光素子駆動手段の出力を増加することを特徴とする。
【００２３】
本発明の請求項１３に係る光ディスク装置では、請求項１１の構成要件に加え、光量検出手段は光ディスクに照射した光ビームの反射光を検出することを特徴とする。
【００２４】
本発明の請求項１４に係る光ディスク装置では、請求項１３の構成要件に加え、パワー制御手段は光ビームの出射光量を光ディスクの再生時よりも低い出射光量に制御することを特徴とする。
【００２５】
本発明の請求項１５に係る光ディスク装置では、請求項３の構成要件に加え、駆動効率検出手段は少なくとも２つ以上のレーザ駆動手段の出力で光検出手段の出力を測定し、線形近似計算により駆動効率を決定することを特徴とする。
【００２６】
本発明の請求項１６に係る光ディスク装置では、請求項１１の構成要件に加え、調光素子の特性が変化したことを検出し、透過率調整手段を再度動作させる特性変化検出手段を、さらに備えたことを特徴とする。
【００２７】
本発明の請求項１７に係る光ディスク装置では、請求項１の構成要件に加え、透過率を変更したときの光ビームの光量の測定値を保持するメモリを備えたことを特徴とする。
【００２８】
本発明の請求項１８に係る光ディスク用制御装置では、レーザ素子から光ビームを調光素子に出射して、調光素子の透過率を変化させて出射光量を変化させ、光量検出器で光ビームの光量を検出する光学ヘッドを制御する光ディスク用制御装置であり、レーザ素子を駆動するレーザ駆動手段と、調光素子を駆動し光ビームの出射光量を変化させる調光素子駆動手段と、さらに前記透過率の変化から、前記調光素子が正常に動作したかを判定し、前記レーザ素子に供給する電流を制御する、調光素子動作監視手段を備えたことを特徴とする。
【００２９】
本発明の請求項１９に係る光ディスク用制御装置では、請求項１８の構成要件に加え、前記調光素子動作監視手段は前記調光素子駆動手段により調光素子を駆動する前後の前記光量検出手段の出力を測定する光量測定手段と、前記光量測定手段の測定結果から、調光素子の状態を判定する調光素子判定手段とを備えたことを特徴とする。
【００３０】
本発明の請求項２０に係る光ディスク用制御装置では、請求項１８の構成要件に加え、前記調光素子動作監視手段は、前記レーザ駆動手段の出力を変化させたときの光検出手段の出力から駆動効率を出力する駆動効率検出手段と、前記調光素子駆動手段により調光素子を駆動する前後の前記駆動効率検出手段の出力を測定する駆動効率測定手段と、前記駆動効率測定手段の測定結果から、調光素子の状態を判定する調光素子判定手段とを備えたことを特徴とする。
【００３１】
本発明の請求項２１に係る光ディスク用制御装置では、請求項１８の構成要件に加え、前記調光素子動作監視手段は、調光素子を駆動し光ビームの出射光量を変化させる調光素子駆動手段と、前記調光素子駆動手段により調光素子を駆動する前後の前記レーザ駆動手段の出力を測定する駆動測定手段と、前記駆動測定手段の測定結果から、調光素子の状態を判定する調光素子判定手段とを備えたことを特徴とする。
【００３２】
本発明の請求項２２に係る光ディスク用制御装置では、請求項１８の構成要件に加え、前記調光素子動作監視手段は、前記光量検出手段の出力に基づいて、前記調光素子駆動手段を動作させて調光素子の透過率を変化させる透過率調整手段と、を備えたことを特徴とする。
【００３３】
本発明の請求項２３に係る光ディスク用制御装置では、請求項１８の構成要件に加え、前記調光素子動作監視手段は、前記レーザ駆動手段の出力を変化させたときの前記光量検出手段の出力から駆動効率を出力する駆動効率検出手段と、前記駆動効率検出手段の出力に基づいて、前記調光素子駆動手段を動作させて調光素子の透過率を変化させる透過率調整手段とを備えたことを特徴とする。
【発明の効果】
【００３４】
本発明の請求項１に係る光ディスク装置では、光ビームを出射するレーザ素子と、レーザ素子に電流を供給するレーザ駆動手段と、光ビームの光量を検出する光量検出手段と、前記光量検出手段の出力に基づき出射光量が一定となるようにレーザ駆動手段を動作させパワー制御を行うパワー制御手段とを備え、光ビームの透過率を変化させる調光素子と、前記調光素子を駆動し光ビームの出射光量を変化させる調光素子駆動手段と、前記調光素子駆動手段に対して前記調光素子の透過率変更を指示する透過率変更手段を備えた光ディスク装置であって、さらに前記透過率変更手段の設定に対し、前記調光素子が正常に動作したかを判定し、前記レーザ素子に供給する電流を制御する、調光素子動作監視手段を備えたので、調光素子が動作しない状態でも、過大発光でレーザ素子を破壊しない。
【００３５】
本発明の請求項２に係る光ディスク装置では、請求項１の構成要件に加え、前記調光素子動作監視手段は前記調光素子駆動手段により調光素子を駆動する前後の前記光量検出手段の出力を測定する光量測定手段と、前記光量測定手段の測定結果から、調光素子の状態を判定する調光素子判定手段とを備えたので、請求項１の効果がＤＳＰを用いて実現できる。
【００３６】
本発明の請求項３に係る光ディスク装置では、請求項１の構成要件に加え、前記調光素子動作監視手段は、前記レーザ駆動手段の出力を変化させたときの光検出手段の出力から駆動効率を出力する駆動効率検出手段と、前記調光素子駆動手段により調光素子を駆動する前後の前記駆動効率検出手段の出力を測定する駆動効率測定手段と、前記駆動効率測定手段の測定結果から、調光素子の状態を判定する調光素子判定手段とを備えたので、請求項１の効果がＤＳＰを用いて実現できる。
【００３７】
本発明の請求項４に係る光ディスク装置では、請求項１の構成要件に加え、前記調光素子動作監視手段は、調光素子を駆動し光ビームの出射光量を変化させる調光素子駆動手段と、前記調光素子駆動手段により調光素子を駆動する前後の前記レーザ駆動手段の出力を測定する駆動測定手段と、前記駆動測定手段の測定結果から、調光素子の状態を判定する調光素子判定手段とを備えたので、請求項１の効果がＤＳＰを用いて実現できる。
【００３８】
本発明の請求項５に係る光ディスク装置では、請求項１の構成要件に加え、前記調光素子動作監視手段は、前記光量検出手段の出力に基づいて、前記調光素子駆動手段を動作させて調光素子の透過率を変化させる透過率調整手段と、を備えたので、請求項１の効果がＤＳＰを用いて実現できる。
【００３９】
本発明の請求項６に係る光ディスク装置では、請求項１の構成要件に加え、前記調光素子動作監視手段は、前記レーザ駆動手段の出力を変化させたときの前記光量検出手段の出力から駆動効率を出力する駆動効率検出手段と、前記駆動効率検出手段の出力に基づいて、前記調光素子駆動手段を動作させて調光素子の透過率を変化させる透過率調整手段とを備えたので、請求項１の効果がＤＳＰを用いて実現できる。
【００４０】
本発明の請求項７に係る光ディスク装置では、請求項１の構成要件に加え、前記調光素子動作監視手段が動作しているときは、パワー制御手段の動作を止めて前記レーザ駆動手段の出力電流を一定に保持することを特徴とするのでので、パワー制御で用いる光検出器を流用するだけで請求項１の効果を実現できる。
【００４１】
本発明の請求項８に係る光ディスク装置では、請求項１の構成要件に加え、前記調光素子動作監視手段が動作しているときは、パワー制御手段の制御目標値を変化させて前記レーザ駆動手段の出力を変化させるのでパワー制御で用いる光検出器を流用するだけで請求項１の効果を実現できる。
【００４２】
本発明の請求項９に係る光ディスク装置では、請求項１の構成要件に加え、前記調光素子動作監視手段は、判定結果に基づいて、レーザ駆動手段の出力を制限することを特徴とするので簡単な構成で請求項１の効果を実現できる。
【００４３】
本発明の請求項１０に係る光ディスク装置では、請求項９の構成要件に加え、さらに光ディスクの記録動作を禁止するので、請求項９の効果をより確実なものとすることができる。
【００４４】
本発明の請求項１１に係る光ディスク装置では、請求項１の構成要件に加え、前記調光素子動作監視手段は、判定結果に基づいて、調光素子駆動手段を再度動作させるので、調光素子の駆動を小さくし、請求項１の効果を実現することができる。
【００４５】
本発明の請求項１２に係る光ディスク装置では、請求項１１の構成要件に加え、さらに、再度動作させるときの調光素子駆動手段の出力を増加するので、調光素子を最適な駆動量で動作させ、請求項１１の効果を実現することができる。
【００４６】
本発明の請求項１３に係る光ディスク装置では、請求項１１の構成要件に加え、光量検出手段は光ディスクに照射した光ビームの反射光を検出するので、実際に光ディスクに照射されている光量を測定して、請求項１１の効果を実現することができる。
【００４７】
本発明の請求項１４に係る光ディスク装置では、請求項１３の構成要件に加え、パワー制御手段は光ビームの出射光量を光ディスクの再生時よりも低い出射光量に制御するので、光ディスクに与える影響を減らしつつ、請求項１３の効果を実現することができる。
【００４８】
本発明の請求項１５に係る光ディスク装置では、請求項３の構成要件に加え、駆動効率検出手段は少なくとも２つ以上のレーザ駆動手段の出力で光検出手段の出力を測定し、線形近似計算により駆動効率を決定するので、高速に精度良くスロープ効率を測定でき、請求項３の効果を実現することができる。
【００４９】
本発明の請求項１６に係る光ディスク装置では、請求項１１の構成要件に加え、調光素子の特性が変化したことを検出し、透過率調整手段を再度動作させる特性変化検出手段を、さらに備えたので調光素子の温度変化に伴う調整を繰り返さずに請求項１１の効果を実現することができる。
【００５０】
本発明の請求項１７に係る光ディスク装置では、請求項１の構成要件に加え、透過率を変更したときの光ビームの光量の測定値を保持するメモリを備えたので、請求項１の効果がＤＳＰを用いて実現できる。
【００５１】
本発明の請求項１８に係る光ディスク用制御装置では、レーザ素子から光ビームを調光素子に出射して、調光素子の透過率を変化させて出射光量を変化させ、光量検出器で光ビームの光量を検出する光学ヘッドを制御する光ディスク用制御装置であり、レーザ素子を駆動するレーザ駆動手段と、調光素子を駆動し光ビームの出射光量を変化させる調光素子駆動手段と、さらに前記透過率の変化から、前記調光素子が正常に動作したかを判定し、前記レーザ素子に供給する電流を制御する、調光素子動作監視手段を備えたので、光ヘッドに内蔵される調光素子が動作しない状態でも、過大発光でレーザ素子を破壊しない。
【００５２】
本発明の請求項１９に係る光ディスク用制御装置では、請求項１８の構成要件に加え、前記調光素子動作監視手段は前記調光素子駆動手段により調光素子を駆動する前後の前記光量検出手段の出力を測定する光量測定手段と、前記光量測定手段の測定結果から、調光素子の状態を判定する調光素子判定手段とを備えたので、請求項１８の効果がＤＳＰによって実現できる。
【００５３】
本発明の請求項２０に係る光ディスク用制御装置では、請求項１８の構成要件に加え、前記調光素子動作監視手段は、前記レーザ駆動手段の出力を変化させたときの光検出手段の出力から駆動効率を出力する駆動効率検出手段と、前記調光素子駆動手段により調光素子を駆動する前後の前記駆動効率検出手段の出力を測定する駆動効率測定手段と、前記駆動効率測定手段の測定結果から、調光素子の状態を判定する調光素子判定手段と、を備えたので、請求項１８の効果がＤＳＰによって実現できる。
【００５４】
本発明の請求項２１に係る光ディスク用制御装置では、請求項１８の構成要件に加え、前記調光素子動作監視手段は、調光素子を駆動し光ビームの出射光量を変化させる調光素子駆動手段と、前記調光素子駆動手段により調光素子を駆動する前後の前記レーザ駆動手段の出力を測定する駆動測定手段と、前記駆動測定手段の測定結果から、調光素子の状態を判定する調光素子判定手段とを備えたので、請求項１８の効果がＤＳＰによって実現できる。
【００５５】
本発明の請求項２２に係る光ディスク用制御装置では、請求項１８の構成要件に加え、前記調光素子動作監視手段は、前記光量検出手段の出力に基づいて、前記調光素子駆動手段を動作させて調光素子の透過率を変化させる透過率調整手段と、を備えたので、請求項１８の効果がＤＳＰによって実現できる。
【００５６】
本発明の請求項２３に係る光ディスク用制御装置では、請求項１８の構成要件に加え、前記調光素子動作監視手段は、前記レーザ駆動手段の出力を変化させたときの前記光量検出手段の出力から駆動効率を出力する駆動効率検出手段と、前記駆動効率検出手段の出力に基づいて、前記調光素子駆動手段を動作させて調光素子の透過率を変化させる透過率調整手段とを備えたので、請求項１８の効果がＤＳＰによって実現できる。
【発明を実施するための最良の形態】
【００５７】
以下、本発明の実施の形態について説明する。
【００５８】
（実施の形態１）
本実施の形態１である光ディスク装置の構成ついて図１のブロック構成を参照して説明する。図１において背景技術である図７の構成要素と同じものには同一の番号を付して説明する。
【００５９】
光ディスク１を再生または記録するために、光ヘッド１０に内蔵のレーザ素子１１から出力されるレーザ光は、光ヘッド１０に内蔵の調光素子１６により光量を減衰させ、光ヘッド１０に内蔵のカップリングレンズ１２によって平行光にされる。この平行光は光ヘッド１０に内蔵の偏光反射板１３で反射し、光ヘッド１０に内蔵の対物レンズ１４により光ディスク１の情報記録膜２に収束照射される。また、偏光反射板１３はレーザ光の一部を透過させ、光ヘッド１０に内蔵の光検出器１５により出射光量を検出する。
【００６０】
出射光量に相当する光検出器１５の出力は、ＤＳＰ２０に内蔵のＡＤ変換器２１によりＡＤ変換され、ＤＳＰ２０に内蔵のレーザパワー制御部２４は出射光量が所定のレベルになるようにレーザ駆動値をＤＳＰ２０に内蔵のＤＡ変換器２２に出力し、ＤＡ変換器２２はレーザ駆動値をＤＡ変換してレーザ駆動信号を出力する。ＤＡ変換器２２より出力されたレーザ駆動信号は、レーザ駆動回路５０を動作させてレーザ素子１１に駆動電流を流し、レーザ素子１１を所定の出射光量になるように発光させる。
【００６１】
ＤＳＰ内蔵の透過率切替部２５は、レーザ制御部が制御する出射光量に応じて調光素子１６の透過率を切り替えるための調光駆動値をＤＳＰ内蔵のＤＡ変換器に出力し、ＤＡ変換器２３は調光駆動値をＤＡ変換して調光駆動信号を出力する。ＤＡ変換器２３より出力された調光駆動信号は、調光素子駆動回路５１を動作させて調光素子１６に駆動電流を流し、調光素子１６の透過率を変化させて切り替える。この透過率切替部２５は調光素子１６の透過率を、再生の出射光量のときは量子雑音が低くなるように透過率を下げるように、記録の出射光量のときは透過率を上げるように切り替えられる。
【００６２】
ここで、本実施の形態１である光ディスク装置は、調光素子１６は電圧駆動で機械的にレーザ光路上に透過率の異なる材質のものを機械的に入れ替えるような構成のものが望ましい。
【００６３】
さらに、本実施の形態１である光ディスク装置は、ＤＳＰ２０に光量測定部３０、メモリ３３、調光素子動作判定部３４を内蔵する。光量測定部３０は透過率切替部２５により調光素子１６の透過率を切り替える前後での光検出器１５による出射光量を測定し、メモリ３３に保存する。調光素子動作判定部３４は、光量測定部３０で測定しメモリ３３に保存した出射光量が透過率を切り替える前後で正常に変化していることを判定する。
【００６４】
再生時には量子雑音の影響を抑えるために、たとえば、透過率を１００％から５０％に変化させた場合に、出射光量も１００％から５０％に変化しているか確認する。調光素子動作判定部３４が出射光量の変化が正常であると判定した場合には、そのまま再生を行い、出射光量の変化が正常でないと判定した場合には、再び調光素子１６を動作させて出射光量も１００％から５０％に変化しているか確認する。記録時には最大出力パワーを確保するために、たとえば、透過率を５０％から１００％に変化させた場合に、出射光量が５０％から１００％に変化していることを確認する。調光素子動作判定部３４が出射光量の変化が正常であると判定した場合には、そのまま記録を行い、出射光量の変化が正常でないと判定した場合には、再び調光素子１６を動作させて出射光量が５０％から１００％に変化していることを確認する。
【００６５】
このようにして、出射光量の変化が正常であると判定した場合に再生および記録を行うので、量子雑音の影響を低減した状態で再生するため再生品質を悪化させることがない。またレーザ素子１１の最大出射パワーの範囲内で記録するためレーザ素子１１を劣化させてしまうことを防げる。
【００６６】
（実施の形態２）
本実施の形態２である光ディスク装置の構成ついて図２のブロック構成を参照して説明する。図２において背景技術である図７の構成要素と同じものには同一の番号を付して説明する。
【００６７】
光ディスク１を再生または記録するために、光ヘッド１０に内蔵のレーザ素子１１から出力されるレーザ光は、光ヘッド１０に内蔵の調光素子１６により光量を減衰させ、光ヘッド１０に内蔵のカップリングレンズ１２によって平行光にされる。この平行光は光ヘッド１０に内蔵の偏光反射板１３で反射し、光ヘッド１０に内蔵の対物レンズ１４により光ディスク１の情報記録膜２に収束照射される。また、偏光反射板１３はレーザ光の一部を透過させ、光ヘッド１０に内蔵の光検出器１５により出射光量を検出する。
【００６８】
出射光量に相当する光検出器１５の出力は、ＤＳＰ２０に内蔵のＡＤ変換器２１によりＡＤ変換され、ＤＳＰ２０に内蔵のレーザパワー制御部２４は出射光量が所定のレベルになるようにレーザ駆動値をＤＳＰ２０に内蔵のＤＡ変換器２２に出力し、ＤＡ変換器２２はレーザ駆動値をＤＡ変換してレーザ駆動信号を出力する。ＤＡ変換器２２より出力されたレーザ駆動信号は、レーザ駆動回路５０を動作させてレーザ素子１１に駆動電流を流し、レーザ素子１１を所定の出射光量になるように発光させる。
【００６９】
ＤＳＰ内蔵の透過率切替部２５は、レーザ制御部が制御する出射光量に応じて調光素子１６の透過率を切り替えるための調光駆動値をＤＳＰ内蔵のＤＡ変換器に出力し、ＤＡ変換器２３は調光駆動値をＤＡ変換して調光駆動信号を出力する。ＤＡ変換器２３より出力された調光駆動信号は、調光素子駆動回路５１を動作させて調光素子１６に駆動電流を流し、調光素子１６の透過率を変化させて切り替える。この透過率切替部２５は調光素子１６の透過率を、再生の出射光量のときは量子雑音が低くなるように透過率を下げるように、記録の出射光量のときは透過率を上げるように切り替える。
【００７０】
ここで、本実施の形態２である光ディスク装置は、調光素子１６はレーザ光路上に透過率の異なる材質のものを機械的に入れ替えるような構成のものが望ましい。
【００７１】
さらに、本実施の形態２である光ディスク装置は、ＤＳＰ２０に駆動効率検出部３１、駆動効率測定部３２、メモリ３３、調光素子動作判定部３５を内蔵する。駆動効率検出部３１は、レーザ素子１１の駆動電流を変化させたときの光検出器１５の出力を測定し、駆動に対する出射パワーの駆動効率を出力する。駆動効率は、たとえば、レーザ素子１１の駆動電流を３０ｍＡおよび４０ｍＡに変化させ、そのときの光検出器１５の出力を出射パワーに換算したときに１ｍＷおよび２ｍＷとなれば、駆動効率は（２ｍＷ−１ｍＷ）／（４０ｍＡ−３０ｍＡ）＝０．１ｍＷ／ｍＡとなる。駆動効率測定部３２は透過率切替部２５により調光素子１６の透過率を切り替える前後での駆動効率検出部３１による駆動効率を測定し、メモリ３３に保存する。調光素子動作判定部３５は、駆動効率測定部３２で測定しメモリ３３に保存した駆動効率が透過率を切り替える前後で正常に変化していることを判定する。
【００７２】
再生時には量子雑音の影響を抑えるために、たとえば、透過率を１００％から５０％に変化させた場合に、駆動効率も１００％から５０％に変化しているか確認する。調光素子動作判定部３５が駆動効率の変化が正常であると判定した場合には、そのまま再生を行い、駆動効率の変化が正常でないと判定した場合には、再び調光素子１６を動作させて出射光量も１００％から５０％に変化しているか確認する。記録時には最大出力パワーを確保するために、たとえば、透過率を５０％から１００％に変化させた場合に、駆動効率が５０％から１００％に変化していることを確認する。調光素子動作判定部３５が駆動効率の変化が正常であると判定した場合には、そのまま記録を行い、駆動効率の変化が正常でないと判定した場合には、再び調光素子１６を動作させて駆動効率が５０％から１００％に変化していることを確認する。
【００７３】
このようにして、駆動効率の変化が正常であると判定した場合に再生および記録を行うので、量子雑音の影響を低減した状態で再生するため再生品質を悪化させることがない。またレーザ素子１１の最大出射パワーの範囲内で記録できるためレーザ素子１１を劣化させてしまうことを防げる。
【００７４】
（実施の形態３）
本実施の形態３である光ディスク装置の構成ついて図３のブロック構成を参照して説明する。図３において背景技術である図７の構成要素と同じものには同一の番号を付して説明する。
【００７５】
光ディスク１を再生または記録するために、光ヘッド１０に内蔵のレーザ素子１１から出力されるレーザ光は、光ヘッド１０に内蔵の調光素子１６により光量を減衰させ、光ヘッド１０に内蔵のカップリングレンズ１２によって平行光にされる。この平行光は光ヘッド１０に内蔵の偏光反射板１３で反射し、光ヘッド１０に内蔵の対物レンズ１４により光ディスク１の情報記録膜２に収束照射される。また、偏光反射板１３はレーザ光の一部を透過させ、光ヘッド１０に内蔵の光検出器１５により出射光量を検出する。
【００７６】
出射光量に相当する光検出器１５の出力は、ＤＳＰ２０に内蔵のＡＤ変換器２１によりＡＤ変換され、ＤＳＰ２０に内蔵のレーザパワー制御部２４は出射光量が所定のレベルになるようにレーザ駆動値をＤＳＰ２０に内蔵のＤＡ変換器２２に出力し、ＤＡ変換器２２はレーザ駆動値をＤＡ変換してレーザ駆動信号を出力する。ＤＡ変換器２２より出力されたレーザ駆動信号は、レーザ駆動回路５０を動作させてレーザ素子１１に駆動電流を流し、レーザ素子１１を所定の出射光量になるように発光させる。
【００７７】
ＤＳＰ内蔵の透過率切替部２５は、レーザ制御部が制御する出射光量に応じて調光素子１６の透過率を切り替えるための調光駆動値をＤＳＰ内蔵のＤＡ変換器に出力し、ＤＡ変換器２３は調光駆動値をＤＡ変換して調光駆動信号を出力する。ＤＡ変換器２３より出力された調光駆動信号は、調光素子駆動回路５１を動作させて調光素子１６に駆動電流を流し、調光素子１６の透過率を変化させて切り替える。この透過率切替部２５は調光素子１６の透過率を、再生の出射光量のときは量子雑音が低くなるように透過率を下げるように、記録の出射光量のときは透過率を上げるように切り替える。
【００７８】
ここで、本実施の形態３である光ディスク装置は、調光素子１６は液晶素子など用いて電圧駆動で無段階に透過率を変化させるものが望ましい。
【００７９】
さらに、本実施の形態３である光ディスク装置においては、ＤＳＰ２０は透過率調整部３６を内蔵する。透過率調整部３６は、透過率切替部２５が切り替える透過率の変化率に応じてＡＤ変換器２１の出力が変化するように、透過率切替部２５の出力を調整する。たとえば、透過率を１００％から５０％に変化させた場合には、ＡＤ変換器２１の出力も１００％から５０％に変化するように透過率切替部２５の出力を調整する。透過率調整部による透過率の調整は、ＡＤ変換器２１の出力が目標の値になるまで徐々に透過率切替部２５の出力を増加あるいは減少させる。あるいは、透過率切替部２５の出力を離散的に変化させたときのＡＤ変換器２１の出力の特性から、線形近似などの関数近似を用いてＡＤ変換器２１の出力が目標の値になるような透過率切替部２５の出力を求めて設定する。出射光量に相当するＡＤ変換器２１の出力が所定の変化をするように透過率切替部２５の出力を調整するので、調光素子１６を所望の透過率に調整できる。
【００８０】
このようにして、出射光量の変化が正常になるように調光素子１６の透過率を調整して再生および記録を行うので、量子雑音の影響を低減した状態で再生するため再生品質を悪化させることがない。またレーザ素子１１の最大出射パワーの範囲内で記録するためレーザ素子１１を劣化させてしまうことを防げる。
【００８１】
（実施の形態４）
本実施の形態４である光ディスク装置の構成ついて図４のブロック構成を参照して説明する。図４において背景技術である図７の構成要素と同じものには同一の番号を付して説明する。
【００８２】
光ディスク１を再生または記録するために、光ヘッド１０に内蔵のレーザ素子１１から出力されるレーザ光は、光ヘッド１０に内蔵の調光素子１６により光量を減衰させ、光ヘッド１０に内蔵のカップリングレンズ１２によって平行光にされる。この平行光は光ヘッド１０に内蔵の偏光反射板１３で反射し、光ヘッド１０に内蔵の対物レンズ１４により光ディスク１の情報記録膜２に収束照射される。また、偏光反射板１３はレーザ光の一部を透過させ、光ヘッド１０に内蔵の光検出器１５により出射光量を検出する。
【００８３】
出射光量に相当する光検出器１５の出力は、ＤＳＰ２０に内蔵のＡＤ変換器２１によりＡＤ変換され、ＤＳＰ２０に内蔵のレーザパワー制御部２４は出射光量が所定のレベルになるようにレーザ駆動値をＤＳＰ２０に内蔵のＤＡ変換器２２に出力し、ＤＡ変換器２２はレーザ駆動値をＤＡ変換してレーザ駆動信号を出力する。ＤＡ変換器２２より出力されたレーザ駆動信号は、レーザ駆動回路５０を動作させてレーザ素子１１に駆動電流を流し、レーザ素子１１を所定の出射光量になるように発光させる。
【００８４】
ＤＳＰ内蔵の透過率切替部２５は、レーザ制御部が制御する出射光量に応じて調光素子１６の透過率を切り替えるための調光駆動値をＤＳＰ内蔵のＤＡ変換器に出力し、ＤＡ変換器２３は調光駆動値をＤＡ変換して調光駆動信号を出力する。ＤＡ変換器２３より出力された調光駆動信号は、調光素子駆動回路５１を動作させて調光素子１６に駆動電流を流し、調光素子１６の透過率を変化させて切り替える。この透過率切替部２５は調光素子１６の透過率を、再生の出射光量のときは量子雑音が低くなるように透過率を下げるように、記録の出射光量のときは透過率を上げるように切り替える。
【００８５】
ここで、本実施の形態４である光ディスク装置は、調光素子１６は液晶素子など用いて電圧駆動で無段階に透過率を変化させるものが望ましい。
【００８６】
さらに、本実施の形態４である光ディスク装置においては、ＤＳＰ２０は駆動効率検出部３１、透過率調整部３７を内蔵する。駆動効率検出部３１は、レーザ素子１１の駆動電流を変化させたときの光検出器１５の出力を測定し、駆動に対する出射パワーの駆動効率を出力する。透過率調整部３７は、透過率切替部２５が切り替える透過率の変化率に応じて駆動効率検出部３１の出力が変化するように、透過率切替部２５の出力を調整する。たとえば、透過率を１００％から５０％に変化させた場合には、駆動効率検出部３１の出力も１００％から５０％に変化するように透過率切替部２５の出力を調整する。透過率調整部による透過率の調整は、駆動効率検出部３１の出力が目標の値になるまで徐々に透過率切替部２５の出力を増加あるいは減少させる。あるいは、透過率切替部２５の出力を離散的に変化させたときの駆動効率検出部３１の出力の特性から、線形近似などの関数近似を用いて駆動効率検出部３１の出力が目標の値になるような透過率切替部２５の出力を求めて設定する。駆動効率検出部３１が所定の変化をするように透過率切替部２５の出力を調整するので、調光素子１６を所望の透過率に調整できる。
【００８７】
このようにして、駆動効率の変化が正常になるように調光素子１６の透過率を調整して再生および記録を行うので、量子雑音の影響を低減した状態で再生するため再生品質を悪化させることがない。またレーザ素子１１の最大出射パワーの範囲内で記録するためレーザ素子１１を劣化させてしまうことを防げる。
【００８８】
（実施の形態５）
本実施の形態５である光ディスク装置の構成ついて図５のブロック構成を参照して説明する。図５において背景技術である図７の構成要素と同じものには同一の番号を付して説明する。
【００８９】
光ディスク１を再生または記録するために、光ヘッド１０に内蔵のレーザ素子１１から出力されるレーザ光は、光ヘッド１０に内蔵の調光素子１６により光量を減衰させ、光ヘッド１０に内蔵のカップリングレンズ１２によって平行光にされる。この平行光は光ヘッド１０に内蔵の偏光反射板１３で反射し、光ヘッド１０に内蔵の対物レンズ１４により光ディスク１の情報記録膜２に収束照射される。また、偏光反射板１３はレーザ光の一部を透過させ、光ヘッド１０に内蔵の光検出器１５により出射光量を検出する。
【００９０】
出射光量に相当する光検出器１５の出力は、ＤＳＰ２０に内蔵のＡＤ変換器２１によりＡＤ変換され、ＤＳＰ２０に内蔵のレーザパワー制御部２４は出射光量が所定のレベルになるようにレーザ駆動値をＤＳＰ２０に内蔵のＤＡ変換器２２に出力し、ＤＡ変換器２２はレーザ駆動値をＤＡ変換してレーザ駆動信号を出力する。ＤＡ変換器２２より出力されたレーザ駆動信号は、レーザ駆動回路５０を動作させてレーザ素子１１に駆動電流を流し、レーザ素子１１を所定の出射光量になるように発光させる。
【００９１】
ＤＳＰ内蔵の透過率切替部２５は、レーザ制御部が制御する出射光量に応じて調光素子１６の透過率を切り替えるための調光駆動値をＤＳＰ内蔵のＤＡ変換器に出力し、ＤＡ変換器２３は調光駆動値をＤＡ変換して調光駆動信号を出力する。ＤＡ変換器２３より出力された調光駆動信号は、調光素子駆動回路５１を動作させて調光素子１６に駆動電流を流し、調光素子１６の透過率を変化させて切り替える。この透過率切替部２５は調光素子１６の透過率を、再生の出射光量のときは量子雑音が低くなるように透過率を下げるように、記録の出射光量のときは透過率を上げるように切り替える。
【００９２】
ここで、本実施の形態５である光ディスク装置は、調光素子１６は電圧駆動で機械的にレーザ光路上に透過率の異なる材質のものを機械的に入れ替えるような構成のものが望ましい。
【００９３】
さらに、本実施の形態５である光ディスク装置においては、ＤＳＰ２０は駆動測定部３９、メモリ３３、調光素子動作判定部３８を内蔵する。レーザパワー制御部２４は、調光素子１６を動作させるときに光検出器１５の出力が一定となるようにレーザ駆動回路５０を通してレーザ素子１１に電流を流して発光させる。駆動測定部３９は透過率切替部２５により調光素子１６の透過率を切り替える前後でのレーザ駆動量であるレーザパワー制御部２４からレーザ駆動回路５０への出力を測定し、メモリ３３に保存する。調光素子動作判定部３８は、駆動測定部３９で測定しメモリ３３に保存したレーザ駆動量が透過率を切り替える前後で正常に変化していることを判定する。
【００９４】
図６はレーザ素子１１の駆動電流に対する光ヘッド１０の出射光量の特性の例である。横軸はレーザ素子１１の駆動電流で、縦軸は出射光量である。たとえばレーザパワー制御部２４が出射光量が１ｍＷになるように制御している場合、図６にように透過率が１００％のときはレーザ素子１１に２５ｍＡの駆動電流を流すことになるが、調光素子１６を動作させて透過率を５０％に変化させると、レーザ素子１１には３０ｍＡの電流が流れることになる。このとき、再生時には量子雑音の影響を抑えるために、透過率を１００％から５０％に変化させると、レーザ駆動電流は２５ｍＡから３０ｍＡに増加する。調光素子動作判定部３８はレーザパワー制御部２４からレーザ駆動回路５０への出力であるレーザ駆動量が５ｍＡ相当増加し、調光素子１６の動作が正常であると判定した場合には、そのまま再生を行い、レーザ駆動量が５ｍＡ相当変化せず調光素子１６の動作が正常でないと判定した場合には、再び調光素子１６を動作させてレーザ駆動量が５ｍＡ相当変化しているか確認する。記録時には最大出力パワーを確保するために、たとえば、透過率を５０％から１００％に変化させた場合に、レーザ駆動量が５ｍＡ相当減少していることを確認する。調光素子動作判定部３８がレーザ駆動量の変化が正常であると判定した場合には、そのまま記録を行い、レーザ駆動量の変化が正常でないと判定した場合には、再び調光素子１６を動作させてレーザ駆動量の変化を判定する。
【００９５】
このようにして、レーザ駆動量の変化が正常であると判定した場合に再生および記録を行うので、量子雑音の影響を低減した状態で再生するため再生品質を悪化させることがない。またレーザ素子１１の最大出射パワーの範囲内で記録するためレーザ素子１１を劣化させてしまうことを防げる。
【００９６】
なお、実施の形態１、２、３、４において、レーザ制御部が出射光量が一定になるようにレーザ素子１１の駆動を制御している場合には、調光素子１６の透過率を変化させる前にレーザ素子１１の駆動の制御を一時的に止めて駆動を固定し、透過率を変化させて比較した後にレーザ素子１１の駆動を制御を再開するようにすれば、精度良く透過率の比較ができる。
【００９７】
また、実施の形態１、２、５において調光素子１６の透過率が正常に変化していないと判定した場合、および実施の形態３、４において調光素子１６の透過率の調整ができなかった場合には、記録を禁止する、または記録パワーが低いメディアに限定して記録する、または記録パワーの上限を透過率にあわせて低くする、または記録パワーが低い倍速に限定して記録することにより、レーザ素子１１の最大出力パワーを超えてレーザ素子１１を破壊してしまうことを防げる。
【００９８】
また、実施の形態１、２、５において調光素子１６の透過率が正常に変化していないと判定した場合、および実施の形態３、４において調光素子１６の透過率の調整ができなかった場合には、再生を遅い回転数に制限すれば量子雑音の増加にともなう再生品質の悪化を防ぐことができる。
【００９９】
また、実施の形態１、２、５において調光素子１６の透過率が正常に変化していないと判定した場合には、再度調光素子を動作するようにすれば、調光素子１６の駆動の電圧を低くして外部振動などの影響により動作しなくても、複数回の実行で正常に動作させることができ、通常の調光素子１６の駆動における消費電力を抑えることができる。また、再度調光素子を動作するときに、調光素子１６の駆動電圧を徐々に増加させることにより、初期の駆動電圧をさらに低くして消費電力を抑えた上で、より確実に動作させることができる。
【０１００】
また、実施の形態３、４において、調光素子１６が液晶素子などの場合には、所定の透過率にする調光素子１６の駆動の特性が温度に応じて変化してしまう場合があるが、温度が変化した場合には調光素子１６の透過率の調整を再度行うことで、温度による調光素子１６の特性の変化の影響をなくすことができる。さらに、調整結果の透過率切替部２５の出力をＤＳＰ２０に内蔵のメモリ（不図示）に保存して、変化した温度が過去に調整を行った温度のときには調整を行わずに過去の調整結果を用いて調光素子１６の透過率を変化させることで、温度変化に伴う調整の回数を削減できる。
【０１０１】
また、実施の形態１、２、３、４、５において、調光素子１６を通過する前のレーザ光を光検出器１５で検出するような構成の光ヘッド１０の場合には、光ディスク１の反射光から再生信号の検出などに用いる反射光検出器（不図示）の出力を光検出器１５の出力に置き換えてもよい。さらに、このとき調光素子１６の透過率を変化させることにより出射光量が変化し、光ディスク１の情報記録膜２に照射するレーザ光のパワーが変化するが、透過率を変化させても再生パワーよりも低くなるような出射光量にすることで、光ディスク１の情報記録膜２に記録された情報を過大パワーで破壊しないような安定した装置を提供できる。
【０１０２】
また、実施の形態１、２、５において、調光素子１６が正常に動作しないと判断した場合に、動作を停止するなどしたのち、異常状態であることをユーザに通知する。光ディスク装置がコンピュータなどに内蔵されたものである場合は、コンピュータのＯＳを介してモニタ画面に異常状態であることを表示する。また、光ディスク装置が動画を再生または記録するレコーダやプレーヤなどである場合は、動画を表示するＴＶなどの画面に異常状態であることを表示する。このようにユーザに光ディスク装置が異常状態であることを通知することで、ユーザの無理な操作を抑制しレーザの破壊を防止でき、装置の修理などの対応を迅速に行うことができる。
【０１０３】
また、実施の形態１、２、３、４、５において再生の出射光量のときに量子雑音が低くなるように透過率を下げるように、記録の出射光量のときは透過率を上げるように切り替えられるとしているが、これに限定されるものではなく、例えば記録再生するメディアや層に基づいて透過率を変化させるような構成や記録再生する倍速に基づいて透過率を変化させるような構成でもよい。
【産業上の利用可能性】
【０１０４】
本発明は、光ディスクに記録および再生を行うために、調光素子を搭載した光ヘッドを用いて光ビームを収束照射する制御を行う光ディスク装置および光ディスク用制御装置に利用可能である。
【図面の簡単な説明】
【０１０５】
【図１】実施の形態１におけるブロック構成を示す図
【図２】実施の形態２におけるブロック構成を示す図
【図３】実施の形態３におけるブロック構成を示す図
【図４】実施の形態４におけるブロック構成を示す図
【図５】実施の形態５におけるブロック構成を示す図
【図６】実施の形態５におけるレーザ素子の駆動電流に対する光ヘッドの出射光量の特性を示す図
【図７】背景技術におけるブロック構成を示す図
【符号の説明】
【０１０６】
１    光ディスク
２    情報記録膜
１０    光ヘッド
１１    レーザ素子
１２    カップリングレンズ
１３    偏光反射板
１４    対物レンズ
１５    光検出器
１６    調光素子
２０    ＤＳＰ
２１    ＡＤ変換器
２２    ＤＡ変換器
２３    ＤＡ変換器
２４    レーザパワー制御部
２５    透過率切替部
３０    光量測定部
３１    駆動効率検出部
３２    駆動効率測定部
３３    メモリ
３４    調光素子動作判定部
３５    調光素子動作判定部
３６    透過率調整部
３７    透過率調整部
３８    調光素子動作判定部
３９    駆動測定部
５０    レーザ駆動回路
５１    調光素子駆動回路
【図１】
2009134776.tif 000003
【図２】
2009134776.tif 000004
【図３】
2009134776.tif 000005
【図４】
2009134776.tif 000006
【図５】
2009134776.tif 000007
【図６】
2009134776.tif 000008
【図７】
2009134776.tif 000009